(57)【特許請求の範囲】
【請求項１】
冷媒を分流して下流側に送るための冷媒分流構造であって、
鉛直方向に延びる分流器ケース（７１）と、
前記分流器ケース内に設けられ、前記分流器ケース内の空間を下端側の導入空間（７８）と前記導入空間の上側の分流空間（７５）とに仕切っており、前記導入空間に流入する前記冷媒を前記分流空間に送るためのノズル孔（７９ａ）が形成されているノズル部（７９）と、
前記分流器ケースの下端側面に接続されており、前記導入空間に前記冷媒を流入させる液冷媒管（３５）と、
を備えており、
前記液冷媒管は、前記ノズル部及び前記液冷媒管を前記ノズル孔の開口方向から見た際に、前記ノズル孔と重なるように前記導入空間内に差し込まれており、
前記液冷媒管のうち前記導入空間内に差し込まれた部分である差込管部（３５ａ）の先端の開口である管先端孔（３５ｂ）は、閉塞されており、
前記差込管部の上部には、前記ノズル部及び前記液冷媒管を前記ノズル孔の開口方向から見た際に、前記ノズル孔と重なるように冷媒導入孔（３５ｃ）が形成されている、
冷媒分流構造。
【請求項２】
前記差込管部（３５ａ）内の空間は、前記冷媒導入孔（３５ｃ）よりも前記管先端孔（３５ｂ）寄りの部分が閉塞されている、
請求項１に記載の冷媒分流構造。
【請求項３】
前記管先端孔（３５ｂ）及び前記差込管部（３５ａ）内の空間の閉塞は、前記管先端孔に柱状の管端閉塞部材（３５ｄ）を取り付けることによって行われている、
請求項２に記載の冷媒分流構造。
【請求項４】
前記冷媒導入孔（３５ｃ）の開口面積は、前記ノズル孔（７９ａ）の開口面積よりも大きい、
請求項１〜３のいずれか１項に記載の冷媒分流構造。
【発明の詳細な説明】
【技術分野】
【０００１】
本発明は、冷媒を分流して下流側に送るための冷媒分流構造、特に、ノズル孔が形成されたノズル部によって分流器ケース内の空間を下端側の導入空間と導入空間の上側の分流空間とに仕切り、液冷媒管を分流器ケースの下端側面に接続して導入空間に冷媒を流入させるようにした冷媒分流構造に関する。
【背景技術】
【０００２】
従来より、冷媒の蒸発器として機能する熱交換器においては、液冷媒管を流れる気液二相状態の冷媒を分流して下流側の伝熱管に送るための冷媒分流構造が設けられている。このような冷媒分流構造として、特許文献１（特開２０１３−１３０３８６号公報）に示すものがある。具体的には、混合用貫通孔（ノズル孔）が形成された混合用仕切板（ノズル部）によって、ヘッダ集合管（分流器ケース）内の空間を下端側の下側混合室（導入空間）と導入空間の上側の上側混合室（分流空間）とに仕切り、液側接続管（液冷媒管）を分流器ケースの下端側面に接続して導入空間に冷媒を流入させるようにした冷媒分流構造となっている。
【発明の概要】
【発明が解決しようとする課題】
【０００３】
上記従来の冷媒分流構造では、液冷媒管が分流器ケースの下端側面に接続されているだけであるため、導入空間内で液冷媒が偏って分布することになる。このため、ノズル孔にボイド率（気液二相状態で流れる冷媒中においてガス冷媒が占める体積比率）が不均一な冷媒が送られてしまい、ノズル孔を通過した後の分流空間内における冷媒のボイド率も不均一になるため、冷媒の分流性能を確保しにくいという問題がある。
【０００４】
本発明の課題は、ノズル孔が形成されたノズル部によって分流器ケース内の空間を下端側の導入空間と導入空間の上側の分流空間とに仕切り、液冷媒管を分流器ケースの下端側面に接続して導入空間に冷媒を流入させるようにした冷媒分流構造において、分流空間内における冷媒のボイド率を均一化して、分流性能を確保できるようにすることにある。
【課題を解決するための手段】
【０００５】
第１の観点にかかる冷媒分流構造は、冷媒を分流して下流側に送るための冷媒分流構造であって、鉛直方向に延びる分流器ケースと、分流器ケース内に設けられるノズル部と、分流器ケースの下端側面に接続される液冷媒管と、を有している。ノズル部は、分流器ケース内の空間を下端側の導入空間と導入空間の上側の分流空間とに仕切っており、導入空間に流入する冷媒を分流空間に送るためのノズル孔が形成されている。液冷媒管は、導入空間に冷媒を流入させる冷媒管である。そして、ここでは、液冷媒管が、ノズル部及び液冷媒管をノズル孔の開口方向から見た際に、ノズル孔と重なるように導入空間内に差し込まれている。しかも、液冷媒管のうち導入空間内に差し込まれた部分である差込管部の先端の開口である管先端孔が、閉塞されており、差込管部の上部に、ノズル部及び液冷媒管をノズル孔の開口方向から見た際に、ノズル孔と重なるように冷媒導入孔が形成されている。このとき、差込管部の先端が分流器ケースの内面に当接するまで液冷媒管を導入空間内に差し込むようにしておけば、冷媒導入孔をノズル孔と重なるように位置決めすることが容易である。
【０００６】
ここでは、分流器ケースの下端側面から導入空間内に流入する冷媒を、液冷媒管の差込管部を通じて、その上方にあるノズル孔に重なる位置まで送り、その後、差込管部の上部に形成された冷媒導入孔を通じて、ノズル孔に向けて真っ直ぐに噴き上げるように送ることができる。このため、液冷媒管が分流器ケースの下端側面に接続されただけの場合に比べて、導入空間内で液冷媒が偏って分布することを抑制して、ノズル孔にボイド率が均一化された冷媒を送ることができる。
【０００７】
これにより、ここでは、ノズル孔を通過した後の分流空間内における冷媒のボイド率を均一化して、冷媒の分流性能を確保することができる。
【０００８】
また、冷媒導入孔とノズル孔との２つの孔を冷媒が通過するため、冷媒の流動音を抑えることができる。これが、仮に一つのノズル孔のみを冷媒が通過する場合、ノズル孔を通過する冷媒の流速が大きすぎて、冷媒の流動音が増大しやすくなる。
【０００９】
第２の観点にかかる冷媒分流構造は、第１の観点にかかる冷媒分流構造において、差込管部内の空間は、冷媒導入孔よりも管先端孔寄りの部分が閉塞されている。
【００１０】
液冷媒管の差込管部の先端の管先端孔が閉塞されているだけの場合には、差込管部内の空間のうち冷媒導入孔よりも管先端孔寄りの部分に、液冷媒の溜まり込みが発生する（以下、この液冷媒の溜まり込みを「液冷媒溜まり」とする）。このため、液冷媒管の差込管部のノズル孔に重なる位置まで送られた冷媒をノズル孔に向けて真っ直ぐに噴き上げるように送る際に、液冷媒溜まりの影響で、冷媒のボイド率の均一化が妨げられやすくなる。
【００１１】
これに対して、上記のように、差込管部内の空間のうち冷媒導入孔よりも管先端孔寄りの部分を閉塞すれば、差込管部内に液冷媒溜まりが発生しなくなるため、液冷媒管の差込管部の先端の管先端孔が閉塞されているだけの場合に比べて、冷媒のボイド率がさらに均一化できる。
【００１２】
これにより、ここでは、ノズル孔を通過した後の分流空間内における冷媒のボイド率をさらに均一化して冷媒の分流性能を向上させることができる。
【００１３】
第３の観点にかかる冷媒分流構造は、第２の観点にかかる冷媒分流構造において、管先端孔及び差込管部内の空間の閉塞が、管先端孔に柱状の管端閉塞部材を取り付けることによって行われている。
【００１４】
ここでは、管先端孔及び差込管部内の空間の閉塞を確実に行うことができる。
【００１５】
第４の観点にかかる冷媒分流構造は、第１〜第３の観点のいずれかにかかる冷媒分流構造において、冷媒導入孔の開口面積が、ノズル孔の開口面積よりも大きい。
【００１６】
ここでは、冷媒導入孔を通過する冷媒の圧損の増大を極力抑えることができる。
【発明の効果】
【００１７】
以上の説明に述べたように、本発明によれば、以下の効果が得られる。
【００１８】
第１の観点にかかる冷媒分流構造では、ノズル孔を通過した後の分流空間内における冷媒のボイド率を均一化して、冷媒の分流性能を確保することができる。また、冷媒の流動音も低減することができる。
【００１９】
第２の観点にかかる冷媒分流構造では、ノズル孔を通過した後の分流空間内における冷媒のボイド率をさらに均一化して冷媒の分流性能を向上させることができる。
【００２０】
第３の観点にかかる冷媒分流構造では、管先端孔及び差込管部内の空間の閉塞を確実に行うことができる。
【００２１】
第４の観点にかかる冷媒分流構造では、冷媒導入孔を通過する冷媒の圧損の増大を極力抑えることができる。
【図面の簡単な説明】
【００２２】
【図１】本発明の一実施形態にかかる冷媒分流構造を採用した空気調和装置の概略構成図である。
【図２】室外ユニットの外観を示す斜視図である。
【図３】室外ユニットの天板を取り外した状態を示す平面図である。
【図４】室外熱交換器の概略斜視図である。
【図５】図４の熱交換部の部分拡大図である。
【図６】伝熱フィンとして波形フィンを採用した場合の図５に対応する図である。
【図７】室外熱交換器の概略構成図である。
【図８】図４の出入口ヘッダ及び冷媒分流器の拡大図である。
【図９】図７の出入口ヘッダ及び冷媒分流器の拡大断面図である。
【図１０】図９の出入口ヘッダ及び冷媒分流器の下部の拡大断面図である。
【図１１】棒部材の斜視図である。
【図１２】棒部材の下端の平面図である。
【図１３】冷媒分流器の分解図である。
【図１４】棒貫通バッフルを分流器ケースに差し込む様子を示す斜視図である。
【図１５】ノズル部及び上下端側分流バッフルを分流器ケースの下端に差し込む様子を示す斜視図である。
【図１６】棒位置決めバッフル及び上下端側分流バッフルを分流器ケースの上端に差し込む様子を示す斜視図である。
【図１７】棒位置決めバッフルが差し込まれた状態の棒部材の上端の平面図である。
【図１８】分流器ケースの下端側面から流入する冷媒の流れを説明する図である。
【図１９】液冷媒管が分流器ケースの下端側面に接続されただけの場合に、分流器ケースの下端側面から流入する冷媒の流れを説明する図である。
【図２０】変形例にかかる冷媒分流構造を示す図であって、図１０に対応する図である。
【図２１】変形例にかかる冷媒分流構造を示す図であって、図１８に対応する図である。
【図２２】変形例にかかる冷媒分流構造を示す図であって、図１２に対応する図である。
【図２３】変形例にかかる冷媒分流構造を示す図であって、図１２に対応する図である。
【図２４】変形例にかかる冷媒分流構造を示す図であって、図１２に対応する図である。
【図２５】変形例にかかる冷媒分流構造を示す図であって、図１２に対応する図である。
【図２６】変形例にかかる冷媒分流構造を採用した空気調和装置の室外ユニットの天板を取り外した状態を示す平面図である。
【発明を実施するための形態】
【００２３】
以下、本発明にかかる冷媒分流構造の実施形態及びその変形例について、図面に基づいて説明する。尚、本発明にかかる冷媒分流構造の具体的な構成は、下記の実施形態及びその変形例に限られるものではなく、発明の要旨を逸脱しない範囲で変更可能である。
【００２４】
（１）空気調和装置の全体構成
図１は、本発明の一実施形態にかかる冷媒分流構造を採用した空気調和装置１の概略構成図である。
【００２５】
空気調和装置１は、蒸気圧縮式の冷凍サイクルを行うことによって、建物等の室内の冷房及び暖房を行うことが可能な装置である。空気調和装置１は、主として、室外ユニット２と、室内ユニット４とが接続されることによって構成されている。ここで、室外ユニット２と室内ユニット４とは、液冷媒連絡管５及びガス冷媒連絡管６を介して接続されている。すなわち、空気調和装置１の蒸気圧縮式の冷媒回路１０は、室外ユニット２と、室内ユニット４とが冷媒連絡管５、６を介して接続されることによって構成されている。
【００２６】
＜室内ユニット＞
室内ユニット４は、室内に設置されており、冷媒回路１０の一部を構成している。室内ユニット４は、主として、室内熱交換器４１を有している。
【００２７】
室内熱交換器４１は、冷房運転時には冷媒の蒸発器として機能して室内空気を冷却し、暖房運転時には冷媒の放熱器として機能して室内空気を加熱する熱交換器である。室内熱交換器４１の液側は液冷媒連絡管５に接続されており、室内熱交換器４１のガス側はガス冷媒連絡管６に接続されている。
【００２８】
室内ユニット４は、室内ユニット４内に室内空気を吸入して、室内熱交換器４１において冷媒と熱交換させた後に、供給空気として室内に供給するための室内ファン４２を有している。すなわち、室内ユニット４は、室内熱交換器４１を流れる冷媒の加熱源又は冷却源としての室内空気を室内熱交換器４１に供給するファンとして、室内ファン４２を有している。ここでは、室内ファン４２として、室内ファン用モータ４２ａによって駆動される遠心ファンや多翼ファン等が使用されている。
【００２９】
＜室外ユニット＞
室外ユニット２は、室外に設置されており、冷媒回路１０の一部を構成している。室外ユニット２は、主として、圧縮機２１と、四路切換弁２２と、室外熱交換器２３と、膨張弁２４と、液側閉鎖弁２５と、ガス側閉鎖弁２６とを有している。
【００３０】
圧縮機２１は、冷凍サイクルの低圧の冷媒を高圧になるまで圧縮する機器である。圧縮機２１は、ロータリ式やスクロール式等の容積式の圧縮要素（図示せず）を圧縮機用モータ２１ａによって回転駆動する密閉式構造となっている。圧縮機２１は、吸入側に吸入管３１が接続されており、吐出側に吐出管３２が接続されている。吸入管３１は、圧縮機２１の吸入側と四路切換弁２２とを接続する冷媒管である。吐出管３２は、圧縮機２１の吐出側と四路切換弁２２とを接続する冷媒管である。
【００３１】
四路切換弁２２は、冷媒回路１０における冷媒の流れの方向を切り換えるための切換弁である。四路切換弁２２は、冷房運転時には、室外熱交換器２３を圧縮機２１において圧縮された冷媒の放熱器として機能させ、かつ、室内熱交換器４１を室外熱交換器２３において放熱した冷媒の蒸発器として機能させる冷房サイクル状態への切り換えを行う。すなわち、四路切換弁２２は、冷房運転時には、圧縮機２１の吐出側（ここでは、吐出管３２）と室外熱交換器２３のガス側（ここでは、第１ガス冷媒管３３）とが接続される（図１の四路切換弁２２の実線を参照）。しかも、圧縮機２１の吸入側（ここでは、吸入管３１）とガス冷媒連絡管６側（ここでは、第２ガス冷媒管３４）とが接続される（図１の四路切換弁２２の実線を参照）。また、四路切換弁２２は、暖房運転時には、室外熱交換器２３を室内熱交換器４１において放熱した冷媒の蒸発器として機能させ、かつ、室内熱交換器４１を圧縮機２１において圧縮された冷媒の放熱器として機能させる暖房サイクル状態への切り換えを行う。すなわち、四路切換弁２２は、暖房運転時には、圧縮機２１の吐出側（ここでは、吐出管３２）とガス冷媒連絡管６側（ここでは、第２ガス冷媒管３４）とが接続される（図１の四路切換弁２２の破線を参照）。しかも、圧縮機２１の吸入側（ここでは、吸入管３１）と室外熱交換器２３のガス側（ここでは、第１ガス冷媒管３３）とが接続される（図１の四路切換弁２２の破線を参照）。ここで、第１ガス冷媒管３３は、四路切換弁２２と室外熱交換器２３のガス側とを接続する冷媒管である。第２ガス冷媒管３４は、四路切換弁２２とガス側閉鎖弁２６とを接続する冷媒管である。
【００３２】
室外熱交換器２３は、冷房運転時には室外空気を冷却源とする冷媒の放熱器として機能し、暖房運転時には室外空気を加熱源とする冷媒の蒸発器として機能する熱交換器である。室外熱交換器２３は、液側が液冷媒管３５に接続されており、ガス側が第１ガス冷媒管３３に接続されている。液冷媒管３５は、室外熱交換器２３の液側と液冷媒連絡管５側とを接続する冷媒管である。
【００３３】
膨張弁２４は、冷房運転時には、室外熱交換器２３において放熱した冷凍サイクルの高圧の冷媒を冷凍サイクルの低圧まで減圧する弁である。また、膨張弁２４は、暖房運転時には、室内熱交換器４１において放熱した冷凍サイクルの高圧の冷媒を冷凍サイクルの低圧まで減圧する弁である。膨張弁２４は、液冷媒管３５の液側閉鎖弁２５寄りの部分に設けられている。ここでは、膨張弁２４として、電動膨張弁が使用されている。
【００３４】
液側閉鎖弁２５及びガス側閉鎖弁２６は、外部の機器・配管（具体的には、液冷媒連絡管５及びガス冷媒連絡管６）との接続口に設けられた弁である。液側閉鎖弁２５は、液冷媒管３５の端部に設けられている。ガス側閉鎖弁２６は、第２ガス冷媒管３４の端部に設けられている。
【００３５】
室外ユニット２は、室外ユニット２内に室外空気を吸入して、室外熱交換器２３において冷媒と熱交換させた後に、外部に排出するための室外ファン３６を有している。すなわち、室外ユニット２は、室外熱交換器２３を流れる冷媒の冷却源又は加熱源としての室外空気を室外熱交換器２３に供給するファンとして、室外ファン３６を有している。ここでは、室外ファン３６として、室外ファン用モータ３６ａによって駆動されるプロペラファン等が使用されている。
【００３６】
＜冷媒連絡管＞
冷媒連絡管５、６は、空気調和装置１を建物等の設置場所に設置する際に、現地にて施工される冷媒管であり、設置場所や室外ユニット２と室内ユニット４との組み合わせ等の設置条件に応じて種々の長さや管径を有するものが使用される。
【００３７】
（２）空気調和装置の基本動作
次に、図１を用いて、空気調和装置１の基本動作について説明する。空気調和装置１は、基本動作として、冷房運転及び暖房運転を行うことが可能である。
【００３８】
＜冷房運転＞
冷房運転時には、四路切換弁２２が冷房サイクル状態（図１の実線で示される状態）に切り換えられる。
【００３９】
冷媒回路１０において、冷凍サイクルの低圧のガス冷媒は、圧縮機２１に吸入され、冷凍サイクルの高圧になるまで圧縮された後に吐出される。
【００４０】
圧縮機２１から吐出された高圧のガス冷媒は、四路切換弁２２を通じて、室外熱交換器２３に送られる。
【００４１】
室外熱交換器２３に送られた高圧のガス冷媒は、冷媒放熱器として機能する室外熱交換器２３において、室外ファン３６によって冷却源として供給される室外空気と熱交換を行って放熱して、高圧の液冷媒になる。
【００４２】
室外熱交換器２３において放熱した高圧の液冷媒は、膨張弁２４に送られる。
【００４３】
膨張弁２４に送られた高圧の液冷媒は、膨張弁２４によって冷凍サイクルの低圧まで減圧されて、低圧の気液二相状態の冷媒になる。膨張弁２４で減圧された低圧の気液二相状態の冷媒は、液側閉鎖弁２５及び液冷媒連絡管５を通じて、室内熱交換器４１に送られる。
【００４４】
室内熱交換器４１に送られた低圧の気液二相状態の冷媒は、室内熱交換器４１において、室内ファン４２によって加熱源として供給される室内空気と熱交換を行って蒸発する。これにより、室内空気は冷却され、その後に、室内に供給されることで室内の冷房が行われる。
【００４５】
室内熱交換器４１において蒸発した低圧のガス冷媒は、ガス冷媒連絡管６、ガス側閉鎖弁２６及び四路切換弁２２を通じて、再び、圧縮機２１に吸入される。
【００４６】
＜暖房運転＞
暖房運転時には、四路切換弁２２が暖房サイクル状態（図１の破線で示される状態）に切り換えられる。
【００４７】
冷媒回路１０において、冷凍サイクルの低圧のガス冷媒は、圧縮機２１に吸入され、冷凍サイクルの高圧になるまで圧縮された後に吐出される。
【００４８】
圧縮機２１から吐出された高圧のガス冷媒は、四路切換弁２２、ガス側閉鎖弁２６及びガス冷媒連絡管６を通じて、室内熱交換器４１に送られる。
【００４９】
室内熱交換器４１に送られた高圧のガス冷媒は、室内熱交換器４１において、室内ファン４２によって冷却源として供給される室内空気と熱交換を行って放熱して、高圧の液冷媒になる。これにより、室内空気は加熱され、その後に、室内に供給されることで室内の暖房が行われる。
【００５０】
室内熱交換器４１で放熱した高圧の液冷媒は、液冷媒連絡管５及び液側閉鎖弁２５を通じて、膨張弁２４に送られる。
【００５１】
膨張弁２４に送られた高圧の液冷媒は、膨張弁２４によって冷凍サイクルの低圧まで減圧されて、低圧の気液二相状態の冷媒になる。膨張弁２４で減圧された低圧の気液二相状態の冷媒は、室外熱交換器２３に送られる。
【００５２】
室外熱交換器２３に送られた低圧の気液二相状態の冷媒は、冷媒蒸発器として機能する室外熱交換器２３において、室外ファン３６によって加熱源として供給される室外空気と熱交換を行って蒸発して、低圧のガス冷媒になる。
【００５３】
室外熱交換器２３で蒸発した低圧の冷媒は、四路切換弁２２を通じて、再び、圧縮機２１に吸入される。
【００５４】
（３）室外ユニットの基本構成
次に、図１〜図４を用いて、室外ユニット２の基本構成について説明する。ここで、図２は、室外ユニット２の外観を示す斜視図である。図３は、室外ユニット２の天板５７を取り外した状態を示す平面図である。図４は、室外熱交換器２３の概略斜視図である。尚、以下の説明においては、「上」、「下」、「左」、「右」、「鉛直」や「前面」、「側面」、「背面」、「天面」、「底面」等の文言は、特にことわりのない限り、ファン吹出グリル５５ｂ側の面を前面とした場合における方向や面を意味する。
【００５５】
室外ユニット２は、ユニットケーシング５１の内部が鉛直方向に延びる仕切板５８によって送風機室Ｓ１と機械室Ｓ２とに仕切られた構造（いわゆる、トランク型構造）を有するものである。室外ユニット２は、ユニットケーシング５１の背面及び側面の一部から室外空気を内部へと吸い込んだ後に、ユニットケーシング５１の前面から空気を排出するように構成されている。室外ユニット２は、主として、ユニットケーシング５１と、圧縮機２１、四路切換弁２２、室外熱交換器２３、膨張弁２４、閉鎖弁２５、２６及びこれらの機器を接続する冷媒管３１〜３５を含む冷媒回路１０を構成する機器・配管類と、室外ファン３６及び室外ファン用モータ３６ａとを有している。尚、ここでは、送風機室Ｓ１がユニットケーシング５１の左側面寄りに形成され、機械室Ｓ２がユニットケーシング５１の右側面寄りに形成された例を説明するが、左右が逆であってもよい。
【００５６】
ユニットケーシング５１は、略直方体状に形成されており、主として、圧縮機２１、四路切換弁２２、室外熱交換器２３、膨張弁２４、閉鎖弁２５、２６及びこれらの機器を接続する冷媒管３１〜３５を含む冷媒回路１０を構成する機器・配管類と、室外ファン３６及び室外ファン用モータ３６ａとを収容している。ユニットケーシング５１は、冷媒回路１０を構成する機器・配管類２１〜２６、３１〜３５や室外ファン３６等が載置される底板５２と、送風機室側側板５３と、機械室側側板５４と、送風機室側前板５５と、機械室側前板５６と、天板５７と、２つの据付脚５９とを有している。
【００５７】
底板５２は、ユニットケーシング５１の底面部分を構成する板状部材である。
【００５８】
送風機室側側板５３は、ユニットケーシング５１の送風機室Ｓ１寄りの側面部分（ここでは、左側面部分）を構成する板状部材である。送風機室側側板５３は、その下部が底板５２に固定されている。送風機室側側板５３には、室外ファン３６によってユニットケーシング５１の側面側からユニットケーシング５１内に室外空気を吸入するための側面ファン吸入口５３ａが形成されている。
【００５９】
機械室側側板５４は、ユニットケーシング５１の機械室Ｓ２寄りの側面部分（ここでは、右側面部分）の一部と、ユニットケーシング５１の機械室Ｓ２寄りの背面部分とを構成する板状部材である。機械室側側板５４は、その下部が底板５２に固定されている。送風機室側側板５３の背面側の端部と機械室側側板５４の送風機室Ｓ１側の端部との間には、室外ファン３６によってユニットケーシング５１の背面側からユニットケーシング５１内に室外空気を吸入するためのされる背面ファン吸入口５３ｂが形成されている。
【００６０】
送風機室側前板５５は、ユニットケーシング５１の送風機室Ｓ１の前面部分を構成する板状部材である。送風機室側前板５５は、その下部が底板５２に固定され、その左側面側の端部が送風機室側側板５３の前面側の端部に固定されている。送風機室側前板５５には、室外ファン３６によってユニットケーシング５１内に吸入された室外空気を外部に吹き出すためのファン吹出口５５ａが設けられている。送風機室側前板５５の前面側には、ファン吹出口５５ａを覆うファン吹出グリル５５ｂが設けられている。
【００６１】
機械室側前板５６は、ユニットケーシング５１の機械室Ｓ２の前面部分の一部と、ユニットケーシング５１の機械室Ｓ２の側面部分の一部とを構成する板状部材である。機械室側前板５６は、その送風機室Ｓ１側の端部が送風機室側前板５５の機械室Ｓ２側の端部に固定され、その背面側の端部が機械室側側板５４の前面側の端部に固定されている。
【００６２】
天板５７は、ユニットケーシング５１の天面部分を構成する板状部材である。天板５７は、送風機室側板５３や機械室側側板５４、送風機室側前板５５に固定されている。
【００６３】
仕切板５８は、底板５２上に配置される鉛直方向に延びる板状部材である。仕切板５８は、ここでは、ユニットケーシング５１の内部を左右に分割することによって、左側面寄りの送風機室Ｓ１と、右側面寄りの機械室Ｓ２とを形成している。仕切板５８は、その下部が底板５２に固定され、その前面側の端部が送風機室側前板５５に固定され、その背面側の端部が室外熱交換器２３の機械室Ｓ２寄りの側端部まで延びている。
【００６４】
据付脚５９は、ユニットケーシング５１の前後方向に延びる板状部材である。据付脚５９は、室外ユニット２の据付面に固定される部材である。ここでは、室外ユニット２は、２つの据付脚５９を有しており、１つは、送風機室Ｓ１寄りに配置されており、もう１つは、機械室Ｓ２寄りに配置されている。
【００６５】
室外ファン３６は、複数の翼を有するプロペラファンであり、送風機室Ｓ１内において、室外熱交換器２３の前面側の位置に、ユニットケーシング５１の前面（ここでは、ファン吹出口５５ａ）に対向するように配置されている。室外ファン用モータ３６ａは、送風機室Ｓ１内において、室外ファン３６と室外熱交換器２３との前後方向間に配置されている。室外ファン用モータ３６ａは、底板５２上に載置されたモータ支持台３６ｂによって支持されている。そして、室外ファン３６は、室外ファン用モータ３６ａに軸支されている。
【００６６】
室外熱交換器２３は、平面視略Ｌ字形状の熱交換器パネルであり、送風機室Ｓ１内において、ユニットケーシング５１の側面（ここでは、左側面）及び背面に対向するように底板５２上に載置されている。
【００６７】
圧縮機２１は、ここでは、縦型円筒形状の密閉式圧縮機であり、機械室Ｓ２内において、底板５２上に載置されている。
【００６８】
（４）室外熱交換器の基本構成
次に、図１〜図７を用いて、室外熱交換器２３の構成について説明する。ここで、図５は、図４の熱交換部６０の部分拡大図である。図６は、伝熱フィン６４として波形フィンを採用した場合の図５に対応する図である。図７は、室外熱交換器２３の概略構成図である。尚、以下の説明においては、方向や面を表す文言は、特にことわりのない限り、室外熱交換器２３が室外ユニット２に載置された状態を基準とした方向や面を意味する。
【００６９】
室外熱交換器２３は、主として、室外空気と冷媒との熱交換を行う熱交換部６０と、熱交換部６０の一端側に設けられた冷媒分流器７０及び出入口ヘッダ８０と、熱交換部６０の他端側に設けられた中間ヘッダ９０とを有している。室外熱交換器２３は、冷媒分流器７０、出入口ヘッダ８０、中間ヘッダ９０及び熱交換部６０のすべてが、アルミニウムまたはアルミニウム合金で形成されたオールアルミ熱交換器であり、各部の接合は、炉中ロウ付け等のロウ付けによって行われている。
【００７０】
熱交換器６０は、室外熱交換器２３の上部を構成する複数（ここでは、１２個）のメイン熱交換部６１Ａ〜６１Ｌと、室外熱交換器２３の下部を構成する複数（ここでは、１２個）のサブ熱交換部６２Ａ〜６２Ｌとを有している。メイン熱交換部６１Ａ〜６１Ｌにおいては、最上段にメイン熱交換部６１Ａが配置されており、その下段側から鉛直方向下向きに沿って順にメイン熱交換部６１Ｂ〜６１Ｌが配置されている。サブ熱交換部６２Ａ〜６２Ｌにおいては、最下段にサブ熱交換部６２Ａが配置されており、その上段側から鉛直方向上向きに沿って順にサブ熱交換部６２Ｂ〜６２Ｌが配置されている。
【００７１】
熱交換部６０は、扁平管からなる多数の伝熱管６３と、差込フィンからなる多数の伝熱フィン６４とにより構成された差込フィン式の熱交換器である。伝熱管６３は、アルミニウムまたはアルミニウム合金で形成されており、伝熱面となる鉛直方向を向く平面部６３ａと、冷媒が流れる多数の小さな内部流路６３ｂを有する扁平多穴管である。多数の伝熱管６３は、鉛直方向に沿って間隔をあけて複数段配置されており、両端が出入口ヘッダ８０及び中間ヘッダ９０に接続されている。伝熱フィン６４は、アルミニウムまたはアルミニウム合金で形成されており、出入口ヘッダ８０と中間ヘッダ９０との間に配置された多数の伝熱管６３に差し込めるように、水平に細長く延びる多数の切り欠き６４ａが形成されている。伝熱フィン６４の切り欠き６４ａの形状は、伝熱管６３の断面の外形にほぼ一致している。多数の伝熱管６３は、上記のメイン熱交換部６１Ａ〜６１Ｌ及びサブ熱交換部６２Ａ〜６２Ｌに区分されている。ここでは、多数の伝熱管６３は、室外熱交換器２３の最上段から鉛直方向下向きに沿って、所定数（３〜８本程度）の伝熱管６３毎にメイン熱交換部６１Ａ〜６１Ｌを構成する伝熱管群をなしている。また、室外熱交換器２３の最下段から鉛直方向上向きに沿って、所定数（１〜３本程度）の伝熱管６３毎にサブ熱交換部６２Ａ〜６２Ｌを構成する伝熱管群をなしている。
【００７２】
尚、室外熱交換器２３は、上記のような伝熱フィン６４として差込フィン（図５参照）を採用した差込フィン式の熱交換器に限定されるものではなく、伝熱フィン６４として多数の波形フィン（図６参照）を採用した波形フィン式の熱交換器であってもよい。
【００７３】
（５）中間ヘッダの構成
次に、図１〜図７を用いて、中間ヘッダ９０の構成について説明する。尚、以下の説明においては、方向や面を表す文言は、特にことわりのない限り、中間ヘッダ９０を含む室外熱交換器２３が室外ユニット２に載置された状態を基準とした方向や面を意味する。
【００７４】
中間ヘッダ９０は、上記のように、熱交換部６０の他端側に設けられており、伝熱管６３の他端が接続されている。中間ヘッダ９０は、アルミニウムまたはアルミニウム合金で形成された鉛直方向に延びる筒状の部材であり、主として、縦長中空の中間ヘッダケース９１を有している。
【００７５】
中間ヘッダケース９１は、その内部空間が、複数（ここでは、１１個）のメイン側中間バッフル９２、複数（ここでは、１１個）のサブ側中間バッフル９３及び境界側中間バッフル９４によって、鉛直方向に沿って仕切られている。メイン側中間バッフル９２は、中間ヘッダケース９１の上部の内部空間をメイン熱交換部６１Ａ〜６１Ｋの他端に連通するメイン側中間空間９５Ａ〜９５Ｋに仕切るように、鉛直方向に沿って順に設けられている。サブ側中間バッフル９３は、中間ヘッダケース９１の下部の内部空間をサブ熱交換部６２Ａ〜６２Ｋの他端に連通するサブ側中間空間９６Ａ〜９６Ｋに仕切るように、鉛直方向に沿って順に設けられている。境界側中間バッフル９４は、中間ヘッダケース９１の最下段側のメイン側中間バッフル９２と最上段側のサブ側中間バッフル９３との鉛直方向間の内部空間をメイン熱交換部６１Ｌの他端に連通するメイン側中間空間９５Ｌとサブ熱交換部６２Ｌの他端に連通するサブ側中間空間９６Ｌに仕切るように設けられている。
【００７６】
中間ヘッダケース９１には、複数（ここでは、１１本）の中間連絡管９７Ａ〜９７Ｋが接続されている。中間連絡管９７Ａ〜９７Ｋは、メイン側中間空間９５Ａ〜９５Ｋとサブ側中間空間９６Ａ〜９６Ｋとを連通する冷媒管である。これにより、メイン熱交換部６１Ａ〜６１Ｋとサブ熱交換部６２Ａ〜６２Ｋとが中間ヘッダ９０及び中間連絡管９７Ａ〜９７Ｋを介して連通することになり、室外熱交換器２３の冷媒パス６５Ａ〜６５Ｋが形成されている。また、境界側中間バッフル９４には、メイン側中間空間９５Ｌとサブ側中間空間９６Ｌとを連通させる中間バッフル連通孔９４ａが形成されている。これにより、メイン熱交換部６１Ｌとサブ熱交換部６２Ｌとが中間ヘッダ９０及び中間バッフル連通孔９４ａを介して連通することになり、室外熱交換器２３の冷媒パス６５Ｌが形成されている。このように、室外熱交換器２３は、多パス（ここでは、１２パス）の冷媒パス６５Ａ〜６５Ｌに区分された構成を有している。
【００７７】
尚、中間ヘッダ９０は、上記のような中間ヘッダケース９１の内部空間が中間バッフル９２、９３によって鉛直方向に沿って仕切られただけの構成に限定されるものではなく、中間ヘッダ９０内における冷媒の流れ状態を良好に維持するための工夫がなされた構成であってもよい。
【００７８】
（６）出入口ヘッダ及び冷媒分流器の構成
次に、図１〜図１７を用いて、出入口ヘッダ８０及び冷媒分流器７０の構成について説明する。ここで、図８は、図４の出入口ヘッダ８０及び冷媒分流器７０の拡大図である。図９は、図７の出入口ヘッダ８０及び冷媒分流器７０の拡大断面図である。図１０は、図９の出入口ヘッダ８０及び冷媒分流器７０の下部の拡大断面図である。図１１は、棒部材７４の斜視図である。図１２は、棒部材７４の下端の平面図である。図１３は、冷媒分流器７０の分解図である。図１４は、棒貫通バッフル７７を分流器ケース７１に差し込む様子を示す斜視図である。図１５は、ノズル部７９及び上下端側分流バッフル７３を分流器ケース７１の下端に差し込む様子を示す斜視図である。図１６は、棒位置決めバッフル７４ｃ及び上下端側分流バッフル７３を分流器ケース７１の上端に差し込む様子を示す斜視図である。図１７は、棒位置決めバッフル７４ｃが差し込まれた状態の棒部材７４の上端の平面図である。尚、以下の説明においては、方向や面を表す文言は、特にことわりのない限り、冷媒分流器７０及び出入口ヘッダ８０を含む室外熱交換器２３が室外ユニット２に載置された状態を基準とした方向や面を意味する。また、冷媒分流器７０、出入口ヘッダ８０及び中間ヘッダ９０を含む室外熱交換器２３における冷媒の流れについては、特にことわりのない限り、室外熱交換器２３が冷媒の蒸発器として機能する場合を基準にした冷媒の流れを意味する。
【００７９】
＜出入口ヘッダ＞
出入口ヘッダ８０は、上記のように、熱交換部６０の一端側に設けられており、伝熱管６３の一端が接続されている。出入口ヘッダ９０は、アルミニウムまたはアルミニウム合金で形成された鉛直方向に延びる部材であり、主として、縦長中空の出入口ヘッダケース８１を有している。
【００８０】
出入口ヘッダケース８１は、主として、上端及び下端が開口した円筒形状の出入口ヘッダ筒状体８２を有しており、２つの上下端側出入口バッフル８３によって上端及び下端の開口が閉じられている。出入口ヘッダケース８１は、その内部空間が、境界側出入口バッフル８４によって、上部の出入口空間８５と下部の供給空間８６Ａ〜８６Ｌとに鉛直方向に沿って仕切られている。出入口空間８５は、メイン熱交換部６１Ａ〜６１Ｌの一端に連通する空間であり、冷媒パス６５Ａ〜６５Ｌを通過した冷媒を出口で合流させる空間として機能している。このように、出入口空間８５を有する出入口ヘッダ８０の上部が、冷媒パス６５Ａ〜６５Ｌを通過した冷媒を出口で合流させる冷媒出口部として機能している。
【００８１】
出入口ヘッダ８０には、第１ガス冷媒管３３が接続されており、出入口空間８５に連通している。供給空間８６Ａ〜８６Ｌは、複数（ここでは、１１個）の供給側出入口バッフル８７によって仕切られたサブ熱交換部６２Ａ〜６２Ｌの一端に連通する複数（ここでは、１２個）の空間であり、冷媒パス６５Ａ〜６５Ｌに冷媒を流出させる空間として機能している。このように、複数の供給空間８６Ａ〜８６Ｌを有する出入口ヘッダ８０の下部が、複数の冷媒パス６５Ａ〜６５Ｌに区分して冷媒を流出させる冷媒供給部として機能している。
【００８２】
＜冷媒分流器＞
冷媒分流器７０は、上記のように、液冷媒管３５を通じて流入する冷媒を分流して下流側（ここでは、複数の冷媒パス６５Ａ〜６５Ｌ）に送るための機器であり、熱交換部６０の一端側に設けられており、出入口ヘッダ８０の冷媒供給部（すなわち、供給空間８６Ａ〜８６Ｌ）を介して伝熱管６３の一端が接続されている。冷媒分流器７０は、アルミニウムまたはアルミニウム合金で形成された鉛直方向に延びる部材であり、主として、縦長中空の分流器ケース７１を有している。
【００８３】
分流器ケース７１は、主として、上端及び下端が開口した円筒形状の分流器ヘッダ筒状体７２を有しており、２つの上下端側分流バッフル７３によって上端及び下端の開口が閉じられている。ここで、上下端側分流バッフル７３は、半円弧状の縁部７３ａが形成された円形状の板部材であり、分流器ヘッダ筒状体７２の上端及び下端に形成された差込スリット７２ａ、７２ｂに分流器ケース７１の側面から差し込まれた状態で、ロウ付け接合されている。
【００８４】
分流器ケース７１内には、円周方向に沿って配置される複数（ここでは、１２個）の分流路７４Ａ〜７４Ｌと、複数の分流路７４Ａ〜７４Ｌに冷媒を導く分流空間７５と、複数の分流路７４Ａ〜７４Ｌによって分流空間７５と連通しており鉛直方向に沿って配置される複数（ここでは、１２個）の排出空間７６Ａ〜７６Ｌとが形成されている。
【００８５】
複数（ここでは、１２個）の分流路７４Ａ〜７４Ｌは、分流器ケース７１内に配置された棒部材７４によって形成されている。棒部材７４は、円周方向に沿って配置される複数の分流路７４Ａ〜７４Ｌが形成された鉛直方向に延びる棒状の部材である。棒部材７４は、アルミニウムまたはアルミニウム合金の押出成形によって製造されており、複数の分流路７４Ａ〜７４Ｌは、棒部材７４の長手方向に延びており棒部材７４に一体成形された複数（ここでは、１２個）の孔によって構成されている。棒部材７４の径方向の中央部分は、複数の分流路７４Ａ〜７４Ｌによって囲まれている。棒部材７４の長手方向の他端である上端は、分流器ケース７１の上端に設けられた上下端側分流バッフル７３の下面に当接しており、複数の分流路７４Ａ〜７４Ｌの上端が閉じられている。すなわち、分流器ケース７１の上端に設けられた上下端側分流バッフル７３は、棒部材７４の上端を覆う棒蓋部材として機能している。これに対して、棒部材７４の長手方向の一端である下端は、分流器ケース７１の下部まで延びているが、分流器ケース７１の下端に設けられた上下端側分流バッフル７３の上面までは達しておらず、複数の分流路７４Ａ〜７４Ｌの下端は閉じられていない。これにより、分流器ケース７１内には、分流空間７５を含む棒部材７４の下端に対向する空間が形成されている。
【００８６】
棒部材７４の外径は、分流器ケース７１の内径よりも小さく、棒部材７４の側面と分流器ケース７１との径方向間に空間が形成されており、この空間が複数の排出空間７６Ａ〜７６Ｌを形成している。ここでは、分流器ケース７１に、棒部材７４が貫通する棒貫通孔７７ｂが形成された複数（ここでは、１１個）の棒貫通バッフル７７が、分流器ケース７１の側面から差し込まれており、複数の棒貫通バッフル７７によって複数の排出空間７６Ａ〜７６Ｌが形成されている。ここで、棒貫通バッフル７７は、半円弧状の縁部７７ａが形成された円形状の板部材であり、分流器ヘッダ筒状体７２の側面に鉛直方向に沿って形成された差込スリット７２ｃに分流器ケース７１の側面から差し込まれた状態で、ロウ付け接合されている。これにより、棒部材７４は、棒貫通バッフル７７の棒貫通孔７７ｂを鉛直方向に沿って複数貫通した状態で分流器ケース７１内に配置されている。尚、図１３においては、棒部材７４が分流器ケース７１の下端から挿入されているが、分流器ケース７１の上端から挿入されてもよい。このように、分流器ケース７１は、棒部材７４の側面と分流器ケース７１との径方向間の空間が、複数の棒貫通バッフル７７によって、鉛直方向に沿う複数の排出空間７６Ａ〜７６Ｌに仕切られている。
【００８７】
棒部材７４の側面には、複数（ここでは、１２個）の棒側面孔７４ａ（連通路）が形成されており、複数の棒側面孔７４ａによって複数の排出空間７６Ａ〜７６Ｌと複数の分流路７４Ａ〜７４Ｌとが連通している。ここでは、複数の分流路７４Ａ〜７４Ｌと複数の排出空間７６Ａ〜７６Ｌとが、互いに１対１で対応している。例えば、排出空間７６Ａに連通する棒側面孔７４ａが分流路７４Ａだけに対応するように形成され、排出空間７６Ｂに連通する棒側面孔７４ａが分流路７４Ｂだけに対応するように形成されるといったように、ある排出空間に連通する分流路が他の排出空間には連通しないように棒側面孔７４ａが形成されている。また、複数の棒側面孔７４ａは、棒部材７４の長手方向（ここでは、鉛直方向）に沿って螺旋状に配置されている。
【００８８】
冷媒分流器７０には、分流器ケース７１に対する棒部材７４の円周方向位置を位置決めするための棒位置決めバッフル７４ｃ（棒位置決め部材）が設けられている。棒位置決めバッフル７４ｃは、棒貫通バッフル７７と同様に、棒部材７４が貫通する棒貫通孔７４ｄと半円弧状の縁部７４ｅとが形成された円形状の板部材であり、分流器ケース７１の側面から差し込まれている。ここでは、棒位置決めバッフル７４ｃは、分流器ヘッダ筒状体７２の上端に形成された差込スリット７２ａに分流器ケース７１の側面から差し込まれた状態で、上下端側分流バッフル７３と重ねてロウ付け接合されている。これにより、棒部材７４の上端は、棒位置決めバッフル７４ｃの棒貫通孔７４ｄを貫通するとともに、棒位置決めバッフル７４ｃの上側に重なって配置される上下端側分流バッフル７３によって、複数の分流路７４Ａ〜７４Ｌの上端が閉じられた状態になっている。ここで、差込スリット７２ａは、上下端側分流バッフル７３及び棒位置決めバッフル７４ｃの両方を差し込むことが可能なサイズを有している。また、棒位置決めバッフル７４ｃには、棒貫通孔７４ｄの周縁から内周側に向かう凸形状からなる位置決め側係合部７４ｆが形成されている。そして、棒部材７４の上端側面には、位置決め側係合部７４ｆに係合する凹形状からなる棒側係合部７４ｇが形成されている。ここでは、位置決め側係合部７４ｆ及び棒側係合部７４ｇが分流路７４Ｌに対応する円周方向位置に形成されている。そして、棒部材７４が分流器ケース７１内に配置され、差込スリット７２ａに棒位置決めバッフル７４ｃが差し込まれ、両係合部７４ｆ、７４ｇが係合した状態になることによって、分流器ケース７１に対する棒部材７４の円周方向位置が位置決めされるようになっている。さらに、棒位置決めバッフル７４ｃの下面には、下方に向かう凸形状からなる誤組防止部７４ｈが形成されている。ここで、誤組防止部７４ｈは、縁部７４ｅから差込スリット７２ａへの差し込み方向手前側に向かって突出する平板状の舌部７４ｉに形成されている。
【００８９】
分流器ケース７１には、棒部材７４の下端に対向する空間を、液冷媒管３５を通じて流入する冷媒を導入する導入空間７８と複数の分流路７４Ａ〜７４Ｌに冷媒を導く分流空間７５とに仕切るように、ノズル孔７９ａが形成されたノズル部７９が設けられている。すなわち、ノズル部７９は、分流器ケース７１内の空間を下端側の導入空間７８と導入空間７８の上側の分流空間７５とに仕切っており、導入空間７８に流入する冷媒を分流空間７５に送るためのノズル孔７９ａが形成されている。
【００９０】
ノズル部７９は、アルミニウムまたはアルミニウム合金で形成されており、ここでは、ノズル本体７９ｂとノズル支持バッフル７９ｃとを有している。ノズル本体７９ｂは、ノズル孔７９ａが形成された円形状の板部材である。ノズル本体７９ｂは、その外径が分流器ケース７１の内径以下であり、棒部材７４とともに分流器ケース７１に下方から挿入されるようになっている。ノズル本体７９ｂには、棒部材７４の長手方向の一端（ここでは、下端）側の端面である棒部材側端面７９ｄにノズル孔７９ａよりも大径の凹み部分であるノズル凹部７９ｅが形成されており、分流空間７５が、棒部材７４の下端とノズル凹部７９ｅとで囲まれる空間によって構成されている。ここでは、分流空間７５が棒部材７４の下端を棒部材側端面７９ｄに当接させることによって形成されている。ここで、棒部材７４の下端には、複数の分流路７４Ａ〜７４Ｌに囲まれるとともにノズル孔７９ａに対向する被入口部７４ｂが形成されており、被入口部７４ｂの面積が、ノズル孔７９ａの開口面積よりも大きくなっている。また、棒部材側端面７９ｄには、棒部材７４の長手方向の一端（ここでは、下端）を嵌め込むための凸形状からなる棒嵌め込み部７９ｆが形成されている。これにより、棒部材７４とノズル本体７９ｂとの側方への位置ずれが抑えられている。また、ノズル本体７９ｂの下面には、ノズル支持バッフル７９ｃの段差嵌合孔７９ｇに嵌合される凸形状からなる段差部７９ｈが形成されている。一方、ノズル支持バッフル７９ｃは、棒貫通バッフル７７と同様に、段差嵌合孔７９ｇと半円弧状の縁部７９ｉとが形成された円形状の板部材であり、分流器ケース７１の側面から差し込まれている。ここで、ノズル支持バッフル７９ｃは、分流器ケース７１の側面に形成された差込スリット７２ｄを介して分流器ケース７１に差し込まれるようになっている。そして、棒部材７４及びノズル本体７９ｂを分流器ケース７１内の差込スリット７２ｄよりも上側まで挿入した状態で、ノズル支持バッフル７９ｃを分流器ケース７１に差し込み、棒部材７４及びノズル本体７９ｂを下方に移動させることによって、ノズル本体７９ｂの段差部７９ｈがノズル支持バッフル７９ｃの段差嵌合孔７９ｇに嵌合され、棒部材７４及びノズル本体７９ｂとともにロウ付け接合されている。
【００９１】
分流器ケース７１の下端側面（すなわち、ノズル部７９よりも下方の側面）には、液冷媒管３５が接続されており、導入空間７８に冷媒が流入されるようになっている。ここでは、液冷媒管３５が、ノズル部７９及び液冷媒管３５をノズル孔７９ａの開口方向（すなわち、鉛直方向）から見た際に、ノズル孔７９ａと重なるように導入空間７８内に差し込まれている。具体的には、液冷媒管３５は、分流器ケース７１の下端側面に形成された液管接続孔７２ｅを通じて横向きに導入空間７８内に差し込まれている。ここで、液冷媒管３５のうち導入空間７８内に差し込まれた部分を差込管部３５ａとする。ここでは、ノズル孔７９ａが分流器ケース７１の平面視中央に位置していることから、差込管部３５ａの先端は、少なくとも分流器ケース７１の平面視中央を横切る位置まで差し込まれており、ここでは、分流器ケース７１の内面（ここでは、液管接続孔７２ｅに対向する内面）に当接するまで液冷媒管３５を導入空間７８内に差し込まれている。そして、ここでは、差込管部３５ａの先端の開口である管先端孔３５ｂが、閉塞されており、差込管部３５ａの上部に、ノズル部７９及び液冷媒管３５をノズル孔７９ａの開口方向から見た際に、ノズル孔７９ａと重なるように冷媒導入孔３５ｃが形成されている。ここで、管先端孔３５ｂは、柱状のリベット３５ｄ（管端閉塞部材）を取り付けることによって閉塞されている。尚、管先端孔３５ｂを閉塞する手法は、リベット３５ｄによるものに限定されるものではなく、差込管部３５ａの先端にスパン加工やピンチ加工を施すことによって管先端孔３５ｂを閉塞するようにしてもよい。また、ここでは、冷媒導入孔３５ｃの開口面積をノズル孔７９ａの開口面積よりも大きくしている。
【００９２】
そして、冷媒分流器７０は、複数（ここでは、１２個）の連絡路８８Ａ〜８８Ｌを形成する複数（ここでは、１２本）の連絡管８８を介して、出入口ヘッダ８０の下部に接続されている。すなわち、複数の連絡路８８Ａ〜８８Ｌは、複数の排出空間７６Ａ〜７６Ｌから複数の供給空間８６Ａ〜８６Ｌに冷媒を導く部分になっている。こうして、液冷媒管３５、冷媒供給部としての出入口ヘッダ８０の下部、冷媒分流器７０、及び、複数の連絡路８８Ａ〜８８Ｌを形成する複数の連絡管８８は、液冷媒管３５を通じて流入する冷媒を下流側の複数の冷媒パス６５Ａ〜６５Ｌ（すなわち、扁平管からなる複数の伝熱管６３）に送るための冷媒分流構造として機能しているのである。
【００９３】
（７）冷媒分流構造の特徴
本実施形態の液冷媒管３５及び冷媒分流器７０を有する冷媒分流構造には、以下のような特徴がある。
【００９４】
＜Ａ＞
本実施形態の冷媒分流構造は、図１０及び図１２に示すように、冷媒を分流して下流側に送るための冷媒分流構造であって、鉛直方向に延びる分流器ケース７１と、分流器ケース７１内に設けられるノズル部７９と、分流器ケース７１の下端側面に接続される液冷媒管３５と、を有している。ノズル部７９は、分流器ケース７１内の空間を下端側の導入空間７８と導入空間７８の上側の分流空間７５とに仕切っており、導入空間７８に流入する冷媒を分流空間７５に送るためのノズル孔７９ａが形成されている。液冷媒管３５は、導入空間７８に冷媒を流入させる冷媒管である。そして、ここでは、液冷媒管３５が、ノズル部７９及び液冷媒管３５をノズル孔７９ａの開口方向から見た際に、ノズル孔７９ａと重なるように導入空間７８内に差し込まれている。しかも、液冷媒管３５のうち導入空間７８内に差し込まれた部分である差込管部３５ａの先端の開口である管先端孔３５ｂが、閉塞されており、差込管部３５ａの上部に、ノズル部７９及び液冷媒管３５をノズル孔７９ａの開口方向から見た際に、ノズル孔７９ａと重なるように冷媒導入孔３５ｃが形成されている。
【００９５】
このため、ここでは、分流器ケース７１の下端側面から導入空間７８内に流入する冷媒を、液冷媒管３５の差込管部３５ａを通じて、その上方にあるノズル孔７９ａに重なる位置まで送り、その後、差込管部３５ａの上部に形成された冷媒導入孔３５ｃを通じて、ノズル孔７９ａに向けて真っ直ぐに噴き上げるように送ることができる（図１８参照）。これに対して、液冷媒管３５が分流器ケース７１の下端側面に接続されただけの場合（図１９参照）には、分流器ケース７１の下端側面から導入空間７８内に流入する冷媒が、液冷媒管３５の管先端孔３５ｂから横向きに導入空間７８に噴き出すため、ノズル孔７９ａに向けて真っ直ぐに噴き上げる流れが得られず、導入空間７８内で液冷媒が偏って分布してしまう。このように、ここでは、液冷媒管３５が分流器ケース７１の下端側面に接続されただけの場合に比べて、導入空間７８内で液冷媒が偏って分布することを抑制して、ノズル孔７９ａにボイド率（気液二相状態で流れる冷媒中においてガス冷媒が占める体積比率）が均一化された冷媒を送ることができる。
【００９６】
これにより、ここでは、ノズル孔７９ａを通過した後の分流空間７５内における冷媒のボイド率を均一化して、冷媒の分流性能を確保することができる。
【００９７】
また、冷媒導入孔３５ｃとノズル孔７９ａとの２つの孔を冷媒が通過するため、冷媒の流動音を抑えることができる。これが、仮に一つのノズル孔７９ａのみを冷媒が通過する場合、ノズル孔７９ａを通過する冷媒の流速が大きすぎて、冷媒の流動音が増大しやすくなる。
【００９８】
尚、この冷媒分流構造では、冷媒導入孔３５ｃを、ノズル部７９及び液冷媒管３５をノズル孔７９ａの開口方向から見た際に、確実にノズル孔７９ａと重なるように位置決めしておく必要がある。これに対して、ここでは、差込管部３５ａの先端が分流器ケース７１の内面に当接するまで液冷媒管３５を導入空間７８内に差し込むようにしているため、分流器ケース７１への液冷媒管３５の差し込みの程度を一定させることができ、冷媒導入孔３５ｃをノズル孔７９ａと重なるように位置決めすることが容易になっている。
【００９９】
＜Ｂ＞
また、本実施形態の冷媒分流構造では、図１０、図１２及び図１８に示すように、冷媒導入孔３５ｃの開口面積が、ノズル孔７９ａの開口面積よりも大きくなっている。
【０１００】
ここでは、冷媒導入孔３５ａを通過する冷媒の圧損の増大を極力抑えることができる。
【０１０１】
（８）変形例
＜Ａ＞
上記実施形態にかかる冷媒分流構造では、図１０及び図１８に示すように、液冷媒管３５の差込管部３５ａの先端の管先端孔３５ｂだけが閉塞されている。このため、差込管部３５ａ内の空間のうち冷媒導入孔３５ｃよりも管先端孔３５ｂ寄りの部分に、液冷媒の溜まり込みが発生する（以下、この液冷媒の溜まり込みを「液冷媒溜まり」とする）。このため、液冷媒管３５の差込管部３５ａのノズル孔７９ａに重なる位置まで送られた冷媒をノズル孔７９ａに向けて真っ直ぐに噴き上げるように送る際に、液冷媒溜まりの影響で、冷媒のボイド率の均一化が妨げられやすくなる。
【０１０２】
そこで、ここでは、図２０に示すように、差込管部３５ａ内の空間のうち、冷媒導入孔３５ｃよりも管先端孔３５ｂ寄りの部分を閉塞している。このため、液冷媒管の差込管部の先端の管先端孔が閉塞されているだけの場合（図１８参照）とは異なり、差込管部３５ａ内に液冷媒溜まりが発生しなくなるため、液冷媒管３５の差込管部３５ａの先端の管先端孔３５ｂが閉塞されているだけの場合に比べて、冷媒のボイド率がさらに均一化できる。
【０１０３】
これにより、ここでは、ノズル孔７９ａを通過した後の分流空間７５内における冷媒のボイド率をさらに均一化して冷媒の分流性能を向上させることができる。
【０１０４】
尚、管先端孔３５ｂ及び差込管部３５ａ内の空間を閉塞する手法としては、上記実施形態と同様に、管先端孔３５に柱状のリベット３５ｄ（管端閉塞部材）を取り付ける手法以外の手法（スパン加工やピンチ加工）であってもよいが、ここでは、管先端孔３５ｂ及び冷媒導入孔３５ｃよりも管先端孔３５ｂ寄りの部分という広い空間を確実に閉塞させる必要があるため、リベット３５ｄによる手法を採用することが好ましい。
【０１０５】
＜Ｂ＞
上記実施形態にかかる冷媒分流構造では、棒部材７４が円周方向に沿って配置される複数の分流路７４Ａ〜７４Ｌが一体成形された鉛直方向に延びる棒状の部材であるが、これに限定されるものではない。例えば、図２２や図２３に示すように、複数の分流路７４Ａ〜７４Ｌを形成する複数（ここでは、１２本）の細管部材７４１Ａ〜７４１Ｌを円周方向に沿って束ねることによって棒部材７４を構成してもよい。複数の細管部材７４１Ａ〜７４１Ｌの側面には、ここでは図示しないが、上記実施形態と同様に、複数の棒側面孔７４ａが形成されており、複数の棒側面孔７４ａによって複数の排出空間７６Ａ〜７６Ｌと複数の分流路７４Ａ〜７４Ｌとが連通している。尚、複数の細管部材７４１Ａ〜７４１Ｌに囲まれる部分には、図２２に示すように、中心棒７４２を設けるようにして、この中心棒７４２の下端を被入口部７４ｂにしてもよい。また、中心棒体７４２ではなく、図２３に示すように、複数の細管部材７４１Ａ〜７４１Ｌの下端に複数の細管部材７４１Ａ〜７４１Ｌが貫通可能な仕切体７４３を設けるようにして、この仕切体７４３の中央部分を被入口部７４ｂにしてもよい。
【０１０６】
＜Ｃ＞
上記の実施形態にかかる冷媒分流構造では、棒部材７４が円周方向に沿って配置される複数の分流路７４Ａ〜７４Ｌが一体成形された鉛直方向に延びる棒状の部材であるが、これに限定されるものではない。例えば、図２４や図２５に示すように、筒状の外棒部材７４４と外棒部材７４４の内周側に配置される内棒部材７４５とによって棒部材７４を構成してもよい。ここでは、外棒部材７４４の内周面又は内棒部材７４５の外周面の少なくとも一方に、棒部材７４の長手方向に延びる複数（ここでは、１２個）の溝７４４ａ、７４５ａを形成して、複数の溝７４４ａ、７４５ａと外棒部材７４４の内周面又は内棒部材７４５の外周面とで囲まれる空間によって複数の分流路７４Ａ〜７４Ｌを形成するようにしている。外棒部材７４４の側面には、ここでは図示しないが、上記実施形態と同様に、複数の棒側面孔７４ａが形成されており、複数の棒側面孔７４ａによって複数の排出空間７６Ａ〜７６Ｌと複数の分流路７４Ａ〜７４Ｌとが連通している。尚、ここでは、内棒部材７４５の下端の中央部分が被入口部７４ｂになる。
【０１０７】
＜Ｄ＞
上記実施形態にかかる冷媒分流構造は、液冷媒管３５、冷媒分流器７０、複数の連絡管８８及び出入口ヘッダケース８１の下部（冷媒供給部）によって構成されているが、これに限定されるものではない。例えば、ここでは図示しないが、冷媒分流器７０、複数の連絡管８８及び出入口ヘッダケース８１の下部が、鉛直方向に延びる単一のヘッダ−分流器兼用ケースに形成されていてもよい。このとき、出入口ヘッダケース８１の下部に、冷媒分流器７０を形成する場合には、伝熱管６３を複数の排出空間７６Ａ〜７６Ｌに直接連通させることができる。
【０１０８】
＜Ｅ＞
上記実施形態にかかる冷媒分流構造を採用した室外熱交換器２３では、扁平管からなる伝熱管６３が平面視１列だけ鉛直方向に沿って複数段配置された構成を例に挙げて説明しているが、これに限定されるものではない。例えば、図２６に示すように、平面視２列の伝熱管６３が鉛直方向に沿って複数段配置された構成であってもよい。この場合には、伝熱管６３の長手方向の他端（左端）が長手方向の一端（右端）に向かって折り返すことになるため、冷媒分流器７０及び出入口ヘッダ８０だけでなく、中間ヘッダ９０も伝熱管６３の他端（右端）側に設けられることになる。
【産業上の利用可能性】
【０１０９】
本発明は、ノズル孔が形成されたノズル部材によって分流器ケース内の空間を下端側の導入空間と導入空間の上側の分流空間とに仕切り、液冷媒管を分流器ケースの下端側面に接続して導入空間に冷媒を流入させるようにした冷媒分流構造に対して、広く適用可能である。
【符号の説明】
【０１１０】
３５    液冷媒管
３５ａ  差込管部
３５ｂ  管先端孔
３５ｃ  冷媒導入孔
３５ｄ  リベット（管端閉塞部材）
７１    分流器ケース
７５    分流空間
７８    導入空間
７９    ノズル部
７９ａ  ノズル孔
【先行技術文献】
【特許文献】
【０１１１】
【特許文献１】特開２０１３−１３０３８６号公報
【図１】
0006375959.tif 000002
【図２】
0006375959.tif 000003
【図３】
0006375959.tif 000004
【図４】
0006375959.tif 000005
【図５】
0006375959.tif 000006
【図６】
0006375959.tif 000007
【図７】
0006375959.tif 000008
【図８】
0006375959.tif 000009
【図９】
0006375959.tif 000010
【図１０】
0006375959.tif 000011
【図１１】
0006375959.tif 000012
【図１２】
0006375959.tif 000013
【図１３】
0006375959.tif 000014
【図１４】
0006375959.tif 000015
【図１５】
0006375959.tif 000016
【図１６】
0006375959.tif 000017
【図１７】
0006375959.tif 000018
【図１８】
0006375959.tif 000019
【図１９】
0006375959.tif 000020
【図２０】
0006375959.tif 000021
【図２１】
0006375959.tif 000022
【図２２】
0006375959.tif 000023
【図２３】
0006375959.tif 000024
【図２４】
0006375959.tif 000025
【図２５】
0006375959.tif 000026
【図２６】
0006375959.tif 000027